(57)【要約】【課題】太陽に向き合うよう屋上に傾斜してソーラーパネルを設置された組立て便所であって、単位パネルもしくは単位パネル群を高さを異ならせて上記傾斜した屋上に少なくとも３段設置し、維持管理を容易にすると同時に必要な電力を確保できるソーラーパネルを備えた組立て便所を提供しようとするものである。【解決手段】太陽に向き合うよう屋上に傾斜してソーラーパネルを設置された組立て便所であって、単位パネルもしくは単位パネル群を高さを異ならせて上記傾斜した屋上に少なくとも３段設置し、各段の単位パネルもしくは単位パネル群を、下向き方向に向かって順次所定の角度でより深い角度となるよう設置したことを特徴とするソーラーパネルを設置された組立て便所。【選択図】  図５
0003128131.tif 000002
【実用新案登録請求の範囲】
【請求項１】
太陽に向き合うよう屋上に傾斜してソーラーパネルを設置された組立て便所であって、単位パネルもしくは単位パネル群を高さを異ならせて上記傾斜した屋上に少なくとも３段設置し、各段の単位パネルもしくは単位パネル群を、下向き方向に向かって順次所定の角度でより深い角度となるよう設置したことを特徴とするソーラーパネルを備えた組立て便所。
【請求項２】
少なくとも３段設置した各段の単位パネルもしくは単位パネル群を、上段から夏用、春秋用、冬用となるよう季節に応じて太陽に向き合うよう設置したことを特徴とする請求項１に記載のソーラーパネルを備えた組立て便所。
【請求項３】
屋上にソーラーパネルを設置され、かつ風車を用いる風力発電装置をも設置したことを特徴とする請求項１に記載のソーラーパネルを備えた組立て便所。
【考案の詳細な説明】
【技術分野】
【０００１】
この考案は、一般住宅用から業務用さらに緊急災害用として広く有用な組立て便所に関し、特に複数の便槽を有するように構成された組立て便所の電源として用いられるソーラーパネルの単位パネルを季節に応じた複数の角度に設置して、ソーラーパネルで得ようとする電力を確保するようにしたソーラーパネルを備えた組立て便所に関する。
【０００２】
ここで、「組立て便所」の用語は、「例えば工場で生産した便所であって、現場に搬送して据え付けるものを意味し、現場で一から施工するものではない便所」を「組立て便所」と通称するのに倣って、「建屋部分とその設備部分を一定の範囲で組み合わせて一体化した便所」の意で使用する。
【背景技術】
【０００３】
従来から工事現場等において糞尿を処理するのに、ＦＲＰ製やアルミ製のハウジング内に便器を設置し、その下部に便槽を内蔵させた簡易便所が用いられている。これらは非常にコンパクトで搬送には特に問題はないが、便槽に溜まった汚物を頻繁に処理することが必要である。
【０００４】
そのため近年、おが屑もしくはそば殻中に糞尿を導き入れて、おが屑もしくはそば殻及び糞尿ともども攪拌して微生物により分解処理する装置が市販されており、家庭用トイレとして、あるいは各種のイベントなどで臨時に設置される仮設トイレとして、あるいは観光地や登山者向けのものとして利用されている。このタイプの組立て便所は、水を使わずに済むとともに臭わず、しかも糞尿の分解処理物は堆肥や土壌改良材として有効利用することができる。
【０００５】
また、上記従来のおが屑もしくはそば殻を利用するタイプの組立て便所を改良したものとして本考案者等は、天板に糞尿が入る開口部を有するとともに、Ｕ字状断面に形成した便槽と、便槽内に水平状に架設され、モータで駆動される回転軸と、この回転軸に対して所定の間隔で保持したおが屑もしくはそば殻及び糞尿を撹拌する螺旋状の撹拌部と、Ｕ字状断面のステンレス製便槽の外周に積層した、便槽を所定の温度に加温する発熱線と、便槽内を換気する排気手段等とを備えたものをすでに特願２００１−２３９９９４公報（特許文献１参照）において提案している。
【０００６】
ちなみに、この種の組立て便所においては、投下された糞尿をおが屑もしくはそば殻と撹拌する方式の便槽の撹拌機構等を駆動する電源としてソーラーパネルが用いられる。しかしながら、複数の便槽を有するように構成された組立て便所においては、従来のソーラーパネルの大きさでは便槽の撹拌機構等を駆動させるために充分な電力を得ることが難しかった。
そこで本考案者は、特開２００４−２０４４５０公報（特許文献２参照）において、ソーラーパネルを複数の単位パネルで構成し、この単位パネルをスライド可能として、ソーラーパネル全体の面積を広げたり狭めたりするができるようにしたことにより、搬送を容易にすると同時に必要な電力を確保できるソーラーパネルを備えた組立て便所を提案した。
【特許文献１】特願２００１−２３９９９４公報
【特許文献２】特開２００４−２０４４５０公報
【考案の開示】
【考案が解決しようとする課題】
【０００７】
しかしながら、上述のような駆動部を備えた便槽を具備する組立て便所においては、ソーラーパネルを複数の単位パネルで構成してスライド可能とした場合、その駆動機構が必要であった。そのため装置が複雑となる上、維持管理に手間がかかり、この考案におけるような組立て便所が業務用や緊急災害用として観光地や過疎地、山間地等に設置されることを考慮すると、上述のような駆動機構によりソーラーパネルをスライド可能とすることは望ましいことではない。
【０００８】
こうしたなかで本考案者らは、上記組立て便所における必要な電力を確保する手段について研究開発を重ね、スライドのための駆動機構等を用いないで電力を確保することができないかについて種々検討してきた。
【０００９】
その結果、少なくとも３段設置した各段の単位パネルもしくは単位パネル群を、上段から夏用、春秋用、冬用となるよう季節に応じて太陽に向き合うよう設置することにより、スライドのための駆動機構等を用いないで、便槽の撹拌機構等を駆動するために必要な電力を確保することができることが判明した。
【００１０】
この考案は従来例の問題点を以上の構成を採用して解消したものであり、太陽に向き合うよう屋上に傾斜してソーラーパネルを設置された組立て便所であって、単位パネルもしくは単位パネル群を高さを異ならせて上記傾斜した屋上に少なくとも３段設置し、維持管理を容易にすると同時に必要な電力を確保できるソーラーパネルを備えた組立て便所を提供しようとするものである。
【課題を解決するための手段】
【００１１】
すなわち、上記課題を解決するためにこの考案のソーラーパネルを備えた組立て便所は、太陽に向き合うよう屋上に傾斜してソーラーパネルを設置された組立て便所であって、単位パネルもしくは単位パネル群を高さを異ならせて上記傾斜した屋上に少なくとも３段設置し、各段の単位パネルもしくは単位パネル群を、下向き方向に向かって順次所定の角度でより深い角度となるよう設置したことを特徴とするものである。
【００１２】
この考案のソーラーパネルを備えた組立て便所は、少なくとも３段設置した上記各段の単位パネルもしくは単位パネル群を、上段から夏用、春秋用、冬用となるよう季節に応じて太陽に向き合うよう設置したことをも特徴とするものである。
【００１３】
この考案のソーラーパネルを備えた組立て便所は、上記屋上にソーラーパネルを設置され、かつ風車を用いる風力発電装置をも設置したことをも特徴とするものである。
【考案の効果】
【００１４】
この考案は以上のように、単位パネルもしくは単位パネル群を高さを異ならせて上記傾斜した屋上に少なくとも３段設置し、各段の単位パネルもしくは単位パネル群を、下向き方向に向かって順次所定の角度でより深い角度となるよう設置した。
そうすることによって、単位パネルをスライドさせるための駆動機構等を不要とし、維持管理を容易にすると同時に必要な電力を確保できるソーラーパネルを備えた組立て便所を提供することができるようになった。
【００１５】
したがって、業務用や緊急災害用として観光地や過疎地、山間地等に設置した場合にも維持管理が極めて容易であり、また季節や太陽の昇る角度に関わりなく均一かつ必要な電力を確保できるようになった。
また、風車を用いる風力発電装置を併設することにより、ソーラーパネルによる電力の不足を補うことができ、ソーラーパネルの設置可能な面積がそれほど取れなくとも、必要十分な電力を確保することができるソーラーパネルを備えた組立て便所を提供することができるようになった。
【考案を実施するための最良の形態】
【００１６】
以下にこの考案のソーラーパネルを備えた組立て便所の実施の形態を、図面に基いて詳細に説明する。
【００１７】
図１はソーラーパネルを備えた組立て便所の正面図、図２はその背面図、図３はその左側面図、図４はその平面図、図５は中央縦断面図、図６は屋根の部分を外した状態の平面図である。
【００１８】
図１ないし図６に示すように、この考案のソーラーパネルを備えた組立て便所１は、従来と同様、床部分３と、外壁部分４と、天井（屋根）部分５とで構成される建屋２を備えており、この建屋２は骨組みは鉄骨構造で、外壁部分４には適宜ログハウス風の木材パネルやサイディングパネル等が組付けられている。
【００１９】
そして床部分３上部には図６に示すように、外壁部分４で囲まれた上面には正面ドア６に続く踊り場７を備えている。また、踊り場７に隣接して洋式あるいは和式の便器８のある区画９を、さらにその奥には男子小用のための便器１０のある区画１１を備えている。
【００２０】
他方、床部分３の下部には、上記洋式あるいは和式の便器８に対応して横向きに便槽１２が設置されている。この便槽１２は、天板部分に洋式あるいは和式の便器８からの糞尿が入る開口部を有しており、便槽１２内には水平状に架設され、モータ１３で駆動される回転軸（図示せず）と、この回転軸に対して所定の間隔で保持したおが屑もしくはそば殻及び糞尿を撹拌する螺旋状の撹拌部とが組付けられている。なお、ステンレス製便槽１２の外周には、便槽１２を所定の温度に加温する発熱線と、便槽１２内を換気する排気手段等とを備えていることが望ましい。
【００２１】
図６において１４は小用を貯留するタンクで、前記便槽１２内に過度の小用が入って、おが屑もしくはそば殻及び糞尿等が微生物による発酵が阻害されるのを防止するためのものである。この小用タンク１４はその設置場所や用途に応じ、必要に応じて組立て便所１の屋外にも増設することができる。
【００２２】
建屋２上部の天井（屋根）部分５には、図２〜図４に示すように、その上面にソーラーパネル２１がほぼ全面に取り付けられ、太陽光発電によって得られた電力は、床部分３の下部に設置された蓄電池２２（図に示されていない）に充電される。
すなわち、ソーラーパネル２１は建屋２上部の天井（屋根）部分５に、太陽に向き合うよう傾斜して設置されている。しかもソーラーパネル２１を構成する単位パネルもしくは単位パネル群２１−１，２１−２，２１−３，２１−４は、高さを異ならせて上記傾斜した建屋２上部の天井（屋根）部分５に少なくとも３段、図では４段設置し、各段の単位パネルもしくは単位パネル群２１−１，２１−２，２１−３，２１−４を、下向き方向に向かって順次所定の角度でより深い角度となるよう設置している。
【００２３】
上記各段の単位パネルもしくは単位パネル群２１−１，２１−２，２１−３，２１−４間の角度は、５°〜１５°の間において適宜決定することができ、設置場所の緯度や標高等を勘案し、現場における季節ごとの太陽の位置に応じてそれぞれの角度を決定することが望ましい。
また、少なくとも３段設置した各段の単位パネルもしくは単位パネル群を、上段から夏用、春秋用、冬用となるよう季節に応じて太陽に向き合うよう設置することが望ましい。なお図においては、４段設置した各段の単位パネルもしくは単位パネル群を、上段から例えば夏用２１−１、春秋用２１−２、初冬用２１−３、真冬用２１−４となるよう季節に応じて太陽に向き合うよう設置した例を示している。
【００２４】
この考案において使用可能なソーラーパネル２１としては、単結晶シリコン型、多結晶シリコン型の太陽電池モジュールがあり、この太陽電池モジュールを単位パネルとして、もしくはこれらを複数枚組み合わせた単位パネル群として利用するものである。
【００２５】
また、上記天井（屋根）部分５の正面両側には風力発電のための風車２３が建屋２の側壁部分に支持アーム２４を介して取り付けた支持ポール２５上に設置されている。この風車２３によって得られた電力も、上記床部分３の下部に設置された蓄電池２２に充電に充電される。したがって、日光があるときには太陽光発電を、曇りや雨のときには風力発電をおこない、得た電力を蓄電池２２に充電してこれを上記モータによる回転軸の駆動や、換気扇のための駆動電力として、照明器具用の電力として適宜利用することができる。これらの電気機器類の作動条件等は、制御機器類の前面に設置した制御盤（図示せず）により設定される。
【００２６】
また、建屋２上部の天井（屋根）部分５の下端に設けた排水部分からの雨水を集め、それを手洗水として洗面器に流すための雨水浄化装置３１が取り付けられている。この雨水浄化装置３１は、所定の長さを有して建屋２の壁面に取り付けられ、内部に木炭や竹炭その他の活性炭、プラスチックやセラミック製等の濾材が充填されている。もちろん、その上面には各種素材からなるネット、パンチングメタル等からなるフィルタを搭載しておくことが必要である。そして雨水浄化装置３１の濾過水は、洗面器３２等に流されて手洗い等に利用されるのである。
【産業上の利用可能性】
【００２７】
この考案のソーラーパネルを備えた組立て便所は、一般住宅用から業務用さらに緊急災害用としての組立て便所に利用することが可能であるばかりか、僻地や山間地、その他の過酷な条件下の環境に設置される組立て便所として、有効に利用することができる。
【図面の簡単な説明】
【００２８】
【図１】ソーラーパネルを備えた組立て便所の正面図である。
【図２】その背面図である。
【図３】その左側面図である。
【図４】その平面図である。
【図５】中央縦断面図である。
【図６】屋根の部分を外した状態の平面図である。
【符号の説明】
【００２９】
１  組立て便所
２  建屋
３  床部分
４  外壁部分
５  天井（屋根）部分
６  正面ドア
７  踊り場
８  洋式あるいは和式の便器
９  区画
１０  男子小用のための便器
１１  区画
１２  便槽
１３  モータ
１４  小用を貯留するタンク
２１  ソーラーパネル
２１−１，２１−２，２１−３，２１−４  単位パネルもしくは単位パネル群
２２  蓄電池
２３  風車
２４  支持アーム
２５  支持ポール
３１  雨水浄化装置
３２  洗面器
【図１】
0003128131.tif 000003
【図２】
0003128131.tif 000004
【図３】
0003128131.tif 000005
【図４】
0003128131.tif 000006
【図５】
0003128131.tif 000007
【図６】
0003128131.tif 000008
【手続補正書】
【提出日】平成18年10月24日(2006.10.24)
【手続補正１】
【補正対象書類名】実用新案登録請求の範囲
【補正対象項目名】請求項３
【補正方法】変更
【補正の内容】
【請求項３】
屋上にソーラーパネルが設置され、かつ風車を用いる風力発電装置をも設置したことを特徴とする請求項１に記載のソーラーパネルを備えた組立て便所。